(57)【要約】【課題】  釣竿の性能を阻害することなく糸絡みを確実に防止することができ、尚且つ釣竿の先端部に容易に外れることがないように確実に取付けできる糸絡み防止具の提供。【解決手段】  ガイドリング２から釣竿穂先３の周囲に亘って連続して覆う略逆円錐状の覆い部４を有し、先端に開口５を有し、ガイドリング２が突出する側の側面に長手方向に沿ってスリット６が形成してあり、末端部７を釣竿穂先３の周囲と滑らかに連続するように鋭角に面取りしてある。【選択図】      図１
2011160689.tif 000002
【特許請求の範囲】
【請求項１】
ガイドリングから釣竿穂先の周囲に亘って連続して覆う略逆円錐状の覆い部を有し、先端に開口を有し、ガイドリングが突出する側の側面に長手方向に沿ってスリットが形成してあり、末端部を釣竿穂先の周囲と滑らかに連続するように鋭角に面取りしてあることを特徴とする糸絡み防止具。
【請求項２】
スリットは、先端側が次第に幅広に形成されていることを特徴とする請求項１記載の糸絡み防止具。
【請求項３】
釣竿先端のガイドリングの外周に嵌合する嵌合部を有することを特徴とする請求項１又は２記載の糸絡み防止具。
【発明の詳細な説明】
【技術分野】
【０００１】
本発明は、釣竿の先端部に釣糸が絡むのを防止する糸絡み防止具に関する。
【背景技術】
【０００２】
釣竿には、釣糸を通すリング状のガイド部が長手方向に間隔をおいて設けてあり、釣竿をしゃくって釣糸がたるんだときなどに、ガイド部のまわりに釣糸が絡みやすく、絡んだ釣糸を解くのに大変苦労する。夜釣りでは釣糸が竿先に絡み付いているのを知らずにリールを巻き、釣竿の穂先を折ってしまうことも少なくない。また近年、ナイロンモノフィラメントからなる釣糸に代わり、腰の弱いポリエチレン撚糸からなる釣糸（いわゆるＰライン）が多用されるようになっており、この釣糸は水に濡れるとくっつきやすくなる性質があるため、糸絡みが一層起こりやすくなっている。
【０００３】
従来、竿先への糸絡みを防止するものとして、竿先部に取付ける筒状のカバーがあった（例えば、特許文献１，２参照）。このような従来の糸絡み防止カバーは、カバー末端と釣竿との間に段差ができ、その段差に釣糸が引っ掛かって糸絡みが発生する。特許文献１記載のものは、末端側に釣竿に固定するための固定部が形成されているため、固定部の周囲に釣糸が絡みやすい。これを防止するには、カバーの長さを十分長くする必要があった。しかしそのように長いカバーを取付けると、竿先が重くなると同時に竿先のしなりが鈍くなり、釣竿の性能を著しく阻害することになる。特許文献２の図７には、先端のガイド部のまわりだけをカバーするものが記載されているが、このようなカバーではカバー末端の縁に釣糸が引っ掛かり、糸絡みを防止することができない。また、カバーの竿根元側が楕円形に大きく開口しているため、スローイング時等にカバーが竿先から抜けてどこかに飛んでいってしまうおそれもある。
【先行技術文献】
【特許文献】
【０００４】
【特許文献１】特開２００１−１２０１２２号公報
【特許文献２】特開２００１−２０４３０７号公報
【発明の概要】
【発明が解決しようとする課題】
【０００５】
本発明は以上に述べた実情に鑑み、釣竿の性能を阻害することなく糸絡みを確実に防止することができ、尚且つ釣竿の先端部に容易に外れることがないように確実に取付けできる糸絡み防止具の提供を目的とする。
【課題を解決するための手段】
【０００６】
上記の課題を達成するために請求項１記載の発明による糸絡み防止具は、ガイドリングから釣竿穂先の周囲に亘って連続して覆う略逆円錐状の覆い部を有し、先端に開口を有し、ガイドリングが突出する側の側面に長手方向に沿ってスリットが形成してあり、末端部を釣竿穂先の周囲と滑らかに連続するように鋭角に面取りしてあることを特徴とする。
【０００７】
請求項２記載の発明による糸絡み防止具は、請求項１記載の発明の構成に加え、スリットは、先端側が次第に幅広に形成されていることを特徴とする。
【０００８】
請求項３記載の発明による糸絡み防止具は、請求項１又は２記載の発明の構成に加え、釣竿先端のガイドリングの外周に嵌合する嵌合部を有することを特徴とする。
【発明の効果】
【０００９】
請求項１記載の発明による糸絡み防止具は、末端部を釣竿穂先の周囲と滑らかに連続するように鋭角に面取りしてあって、釣糸の引っ掛かりがないため、長さを短くしても糸絡みを確実に防止することができ、釣竿の性能を阻害することがない。また、釣竿のガイドリングから釣竿穂先の周囲に亘って連続して覆う略逆円錐状の覆い部を有しているため、釣竿を振っても容易に抜け落ちない。しかも、ガイドリングが突出する側の側面に長手方向に沿ってスリットが形成してあるので、釣竿先端部に容易に着脱できる。
【００１０】
請求項２記載の発明による糸絡み防止具は、スリットの先端側が次第に幅広に形成されていることで、釣竿先端部への取付け作業が一層容易に行える。
【００１１】
請求項３記載の発明による糸絡み防止具は、釣竿先端のガイドリングの外周に嵌合する嵌合部を有することで、より一層安定して取付けできる。
【図面の簡単な説明】
【００１２】
【図１】（ａ）は本発明の糸絡み防止具の第１実施形態を示す正面図、（ｂ）は同側面図、（ｃ）は同下面図である。
【図２】図１のＢ部拡大図である。
【図３】図１のＸ矢視図である。
【図４】図１のＡ−Ａ断面図である。
【図５】（ａ）は本発明の糸絡み防止具の第２実施形態を示す側面図、（ｂ）は同下面図である。
【発明を実施するための形態】
【００１３】
以下、本発明の実施の形態を図面に基づいて説明する。図１〜４は、本発明の糸絡み防止具１の第１実施形態であって、磯釣り用の釣竿の先端部に取付けたものを示している。磯釣り用の釣竿は、穂先３が直径１〜２ｍｍ程度と非常に細く、柔軟なものとなっており、先端のガイドリング２から２番目のガイドリングまでの距離がある程度長いため、糸絡み防止具１は先端のガイドリング２の周囲のみをカバーする短いものとなっている。
【００１４】
本糸絡み防止具１は、合成樹脂やゴム等の柔軟性を有する材質にて一体に形成されており、先端側の横断面が略円形ないし略楕円形で、末端側にかけて次第に細くなった略逆円錐状の覆い部４を有し、覆い部４が先端のガイドリング２から釣竿穂先３の周囲に亘って連続して覆っている。先端側には、図１（ａ）に示すように、ガイドリング２の内径よりも大きい開口５が形成してある。この開口５の内周面には、図４に示すように、ガイドリング２の外周に嵌合する溝８が形成してある。糸絡み防止具１の末端側には、図３に示すように、釣竿穂先３の周囲に嵌合するように小さな開口１０が形成してある。糸絡み防止具１の下面側には、図１（ｃ）に示すように、先端の開口５から末端の開口１０にかけてスリット６が形成してある。スリット６は、先端側が次第に幅広に形成されている。
本糸絡み防止具１は、スリット６を広げることによって釣竿先端部に着脱自在に取付けられ、取付けると先端側の開口５と末端側の開口１０がガイドリング２外周と釣竿穂先３外周にそれぞれ嵌合し、安定的に保持される。また、柔軟性を有しているので、ガイドリング２や穂先３の外径が多少違うものにも取付けできる。
【００１５】
糸絡み防止具１の末端部７は、図２に示すように、釣竿穂先３の周囲と滑らかに連続するように、傾斜面１１により鋭角に面取りしてある。また、末端部７の内面には肉ぬすみ１２が設けてあり、これにより末端側の開口１０が釣竿穂先３の周囲に密着しやすくしている。
糸絡み防止具１の表面には、釣糸９が滑りやすいようにコーティングが施してある。
【００１６】
以上のような糸絡み防止具１を取付けると、釣りをしていて釣糸９が弛んで釣竿先端部に巻き付こうとしても、釣糸９は糸絡み防止具１の覆い部４の表面を滑って抜けるために、糸絡みを防止できる。特に、糸絡み防止具１の末端部７を傾斜面１１により鋭角に面取りし、釣竿穂先３の周囲と滑らかに連続するようにしており、この部分にも釣糸９の引っ掛かりがないため、優れた糸絡み防止効果を発揮する。また、先端のガイドリング２の周囲のみを覆う長さの短いものにしたため、極めて軽量で釣り人が穂先３に違和感を感じることがなく、また穂先３のたわみ性にほとんど影響を与えず、釣竿の性能を何ら阻害しない。さらに、覆い部４を逆円錐状としたため、竿先を激しく振っても糸絡み防止具１が抜け落ちることがない。また、ガイドリング２が突出する下面側にスリット６が形成してあることで、釣竿先端部に容易に着脱でき、さらにスリット６の先端側が次第に幅広に形成してあることで、取付け作業が一層容易に行えると共に、ガイドリング２に釣糸９を通すのも容易である。
【００１７】
図５は、本発明の糸絡み防止具１の第２実施形態を示している。本実施形態は、船釣り用の短い釣竿等に用いる場合で、先端のガイドリング２と２番目のガイドリング１３との距離が１２ｃｍ程度と近いため、先端のガイドリング２から２番目のガイドリング１３までを覆う形状としている。本実施形態では、２番目のガイドリング１３の手前側に略逆円錐状の覆い部４を有しており、それより先端側はほぼストレートになっている。下面のスリット６は、２番目のガイドリング１３の手前側に次第に広がった部分６ａを有し、その部分より先端側は一定の幅で広くなっている。先端部と末端部７の形態は、第１実施形態のものと同様である。
【００１８】
本発明は以上に述べた実施形態に限定されない。糸絡み防止具の材質、細部の形状等は、適宜変更することができる。本糸絡み防止具は、可撓性を有していればよく、セルロイドやＰＥＴ樹脂、塩化ビニル樹脂等で形成することもできる。
【符号の説明】
【００１９】
１  糸絡み防止具
２  先端のガイドリング
３  釣竿穂先
４  覆い部
５  開口
６  スリット
７  末端部
８  溝（嵌合部）
９  釣糸
１３  ２番目のガイドリング  
【図１】
2011160689.tif 000003
【図２】
2011160689.tif 000004
【図３】
2011160689.tif 000005
【図４】
2011160689.tif 000006
【図５】
2011160689.tif 000007